(57)【要約】電気モータ（１０）であって、ロータと、交換可能な炭素ブラシ（３８）とが設けられており、該炭素ブラシ（３８）が、一方の端部で電源に接続可能であって、他方の端部でロータに電気的に接触接続可能であり、それぞれ１つのブラシ収容部（２０）内で長手方向移動可能に支承された炭素ブラシ（３８）が、それぞれ１つの係止キャップ（２２）によって軸方向で、特にばね弾性的に支えられた状態で、固定可能である形式の電気モータは、係止キャップ（２２）が摩擦および／または形状接続的にブラシ収容部（２０）に固定可能であって、ブラシ収容部（２０）から係止キャップ（２２）を取り外すための工具（４６）用の少なくとも１つの別個の係合手段（３４，３６）を有していることによって、より簡単に保守整備されることができる。
2005530470.tif 000002
【特許請求の範囲】
【請求項１】
電気モータ（１０）であって、ロータと、交換可能な炭素ブラシ（３８）とが設けられており、該炭素ブラシ（３８）が、一方の端部で電源に接続可能であって、他方の端部でロータに電気的に接触接続可能であり、それぞれ１つのブラシ収容部（２０）内で長手方向移動可能に支承された炭素ブラシ（３８）が、それぞれ１つの係止キャップ（２２）によって軸方向で、特にばね弾性的に支えられた状態で、固定可能である形式のものにおいて、
係止キャップ（２２）が摩擦および／または形状接続的にブラシ収容部（２０）に固定可能であって、ブラシ収容部（２０）から係止キャップ（２２）を取り外すための工具（４６）用の少なくとも１つの別個の係合手段（３４，３６）を有していることを特徴とする電気モータ。
【請求項２】
係止キャップ（２２）が薄板型押し加工部材として構成されている、請求項１記載の電気モータ（１０）。
【請求項３】
係止キャップ（２２）が、ブラシ収容部（２０）の端面を覆うための中央のカバー部（２４）を有しており、該カバー部（２４）が、互いに反対に位置する側にＵ脚部（２６，２８）を有している、請求項１または２記載の電気モータ。
【請求項４】
Ｕ脚部（２６，２８）がばね舌片（４４）有しており、該ばね舌片（４４）が、ブラシ収容部（２０）に離れないように支えられている、請求項１から３までのいずれか１項記載の電気モータ。
【請求項５】
Ｕ脚部（２６，２８）が、ねじ回しブレードまたはこれに類するものが係合するための開口（３４）を有している、請求項１から４までのいずれか１項記載の電気モータ。
【請求項６】
開口（３４）が、Ｕ脚部（２６，２８）の、折り曲げられた領域（３２）に配置されている、請求項１から５までのいずれか１項記載の電気モータ。
【請求項７】
別の開口（３６）が、ほぼ中央で係止キャップ（２２）に配置されている、請求項１から６までのいずれか１項記載の電気モータ。
【発明の詳細な説明】
【技術分野】
【０００１】
本発明は、請求項１の上位概念部に記載した形式の電気モータから出発する。
【０００２】
ケーシングの解体なしに炭素ブラシがサービスカバーの開放によってのみ外側から接近可能である、電気モータが公知である。この場合、各炭素ブラシは係止キャップに結合されている。この係止キャップはカバー状に、縦坑状（schachtartig）のブラシ収容部に係止可能である。係止キャップは、さらに、炭素ブラシをブラシ収容部の内部に押し込み、しかも炭素ブラシをばね弾性的に予負荷された状態で（ばね弾性によって予荷重をかけられた状態で；federvorgespannt）ロータもしくはこのロータのコレクタに接触接続する。
【０００３】
炭素ブラシの取出しは、ブラシ収容部とこのブラシ収容部の共通の取出し部とから係止キャップを、サービス開口を通して外側に向かって持ち上げることによって行われる。この場合、ブラシ収容部からの係止キャップの取外しと炭素ブラシの取出しとには、手間および時間がかかる。
【０００４】
発明の利点
請求項１の特徴部に記載したように構成された本発明は、炭素ブラシが迅速にかつ確実にブラシ収容部から引抜き可能であり、かつ新しい炭素ブラシと交換可能であるという利点を有している。
【０００５】
係止キャップが薄板型押し加工部材（Blechpraegeteil）として構成されていることによって、この係止キャップは安価に製作可能であり、軽量である。
【０００６】
係止キャップが、ブラシ収容部を覆うための中央のカバー部を有していて、このカバー部が、互いに反対の側に位置する側にＵ脚部を有していることによって、係止キャップは確実にブラシ収容部に固定可能となる。
【０００７】
Ｕ脚部がばね舌片を備えていることによって、係止キャップをブラシ収容部に結合するための単純な保持手段が提供される。
【０００８】
一方のＵ脚部が、ねじ回しブレード（Schraubendreherklinge）またはこれに類するものが係合するための開口を有していることによって、係止キャップもしくは炭素ブラシは迅速にかつ確実に取り外されることができる。
【０００９】
ねじ回しブレードが係合するための開口が、脚部の折り曲げられた領域に配置されていることによって、前記開口は、ねじ回しブレードまたはこれに類するものにとって確実に楽に接近可能となる。
【００１０】
以下に、本発明の実施例を図面につき詳しく説明する。
【００１１】
実施例
図１には、電気モータ１０を示してある。この電気モータ１０は、薄板カプセル（Blechkapsel）として構成された円筒周壁状の外側シェル１２を備えている。この外側シェル１２は内部にロータ（図示せず）を有している。このロータのモータ軸１４は、モータ１０の端面において外側に向かって突出している。観察方向で見て右側で、電気モータ１０は端面にブラシプレート１６を有している。このブラシプレート１６は外側シェル１２にフランジ結合されている。前記ブラシプレート１６は中央で、モータ軸１４の他方の端部によって貫通される。
【００１２】
ブラシプレート１６からは、互いに反対の位置にある２つの面において、２つのブラシ収容部２０が半径方向外側に向かって延びており、両ブラシ収容部２０のうちの上側のブラシ収容部だけが示されている。両ブラシ収容部は、電源（図示せず）に通じている電気ケーブル（図示せず）に接続するための、軸方向外側に向けられているコンタクト舌片１８をそれぞれ有している。両ブラシ収容部２０は外側で、それぞれ１つの係止キャップ２２によって閉鎖されている。この係止キャップ２２は、２つの側方脚部（側方の脚部）２６，２８を備えたカバー部２４を有している。前記脚部２６，２８はばね舌片４４によって、側方でブラシ収容部２０に上方から係止するように固定的に保持される。一方の脚部２８は、折り曲げられた領域３２を有している。この領域３２は、ねじ回し４６のブレードが係合するための組付け手段３０としての、クロススリット状（kreuzschlitzartig）の開口３４を備えている。さらに、係止キャップ２２はそのカバー部に、スリット・ねじ回しが侵入するための係合スリット３６を有している。しかしながら、この係合スリット３６は、中央で係止キャップ２２の別の箇所に配置されていてもよい。
【００１３】
下側でカバー部２４には、炭素ブラシ３８がケーブルストランド４２に掛着されている（図３）。この場合、カバー部２４と炭素ブラシとの間に、予負荷された（プレロードをかけられた）ばね４０が座着している。このばね４０はブラシ収容部２０内の炭素ブラシ３８を、内側に向かってロータもしくはこのロータのコレクタの方向に、カバー部２４から離反するように押圧している。
【００１４】
前記脚部２６，２８は、面状に突出するように打ち抜かれた（freigestanzt）ばね舌片４４をそれぞれ有している。このばね舌片４４はそれぞれ内側へブラシ収容部２０に向かって予負荷された状態で脚部平面から突出していて、係止キャップ２２を紛失されないようにブラシ収容部２０に固定的に保持している。
【００１５】
炭素ブラシ３８を取り除くためには、クロススリット・ねじ回し４６の刃先端が、係止キャップ２２の、対応成形された開口３４内に案内される。次いで、係止キャップ２２が、ねじ回し４６の回動もしくは旋回によってブラシホルダ２０から引離し可能となる。この場合、炭素ブラシ３８はばね４０（図３）の予負荷によって自動的に後に続く。
【００１６】
クロススリット・ねじ回し４６が用意されていない場合には、フラットスリット・ねじ回し（Flachschlitz-Schraubendreher）が係止キャップ２２の係合スリット３６内に導入されることができ、この係止キャップ２２が、回動によってかもしくはてこ作用による持上げ（Aushebeln）によって、炭素ブラシ３８と一緒に取り出されることができる。
【００１７】
図２には、ブラシプレート１６を詳細図として示してある。この場合、ここでは鏡面対称的な２つのブラシ収容部２０が、このブラシ収容部２０において運転に適応して固定された係止キャップ２２と一緒に示してある。この係止キャップ２２はそれぞれケーブルストランド４２を介して炭素ブラシ３８（図示せず）に電気的に接続されていて、この炭素ブラシ３８をブラシ収容部２０内に位置確実に保持している。
【００１８】
係止キャップ２２の、それぞれ１つの脚部２８の折り曲げられた領域３２が、明瞭に示してある。この領域３２はクロススリット状の開口３４を備えている。さらに、中央でブラシプレート１６内に、軸受孔１９が示してある。この軸受孔１９は、組付けが完了したモータ１０内のモータ軸１４の貫通係合のために働く。さらに、電流ケーブルに接続するための、ブラシ収容部２０のコンタクト舌片１８が、明瞭に示してある。
【００１９】
図３には、図２の分解図を示してある。この場合、炭素ブラシ３８は、係止キャップ２２に対する配属関係に関して、特に係止キャップ２２と炭素ブラシ３８との間でケーブルストランド４２に沿って予負荷されたばね４０を備えて示してある。さらに、図２の図示の範囲を超えて係止開口４５を、側方でブラシ収容部２０において示してある。係止開口４５内で、運転に適応した組付けに際して係止キャップ２２のばね舌片４４が係止し、係止キャップ２２を紛失されないようにブラシ収容部２０に引き留める。
【００２０】
図４には、図１〜図３の図示の範囲を超えて、係止キャップ２２の脚部２８の開口３４内にねじ回し４６を配置した状態を示してある。ねじ回し４６の回動もしくは旋回によって、舌片４４を備えた脚部２８が係止開口４５から持ち上げられ、係止キャップ２２はブラシ収容部２０に対して長手方向で取り出されることができる。この場合、係止キャップ２２には、炭素ブラシ３８がばね４０およびケーブルストランド４２と一緒に続き、前記炭素ブラシ３８は、ばね４０とケーブルストランド４２と係止キャップ２２とを備えた新しい炭素ブラシ３８と交換されることができる。
【図面の簡単な説明】
【００２１】
【図１】係止キャップとブラシ収容部とを備えた電気モータの立体図である。
【００２２】
【図２】電気モータのブラシプレートの立体図である。
【００２３】
【図３】図２による図の分解図である。
【００２４】
【図４】係止キャップ内に係合するねじ回しを備えたブラシプレートを示す図である。
【図１】
2005530470.tif 000003
【図２】
2005530470.tif 000004
【図３】
2005530470.tif 000005
【図４】
2005530470.tif 000006
【国際調査報告】
2005530470.tif 000007
2005530470.tif 000008
2005530470.tif 000009
2005530470.tif 000010
2005530470.tif 000011
2005530470.tif 000012